【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
プロセスのプロセスエレメントアライメント決定方法であって、前記プロセスエレメントアライメント決定方法は、
プロセスプラントに設置されるフィールド装置の性能検証に関連するローカルデバイスにおいて、前記フィールド装置の識別情報及び前記プロセスプラントのプロセスを制御するために使用される他のプロセス装置に関する前記フィールド装置の相対的プロセス順序の指示を取得すること、及び
前記プロセスのプロセスエレメントアライメントマップを生成する際に使用するために前記識別情報及び前記フィールド装置の前記相対的プロセス順序の指示を提供すること、
を含む、プロセスエレメントアライメント決定方法。
【請求項２】
前記ローカルデバイスは前記フィールド装置に物理的に近接している無線性能検証装置であり、
前記プロセスエレメントアライメント決定方法は、前記ローカルデバイスにおいて及び前記取得された識別情報に基づいて前記フィールド装置が予定されたフィールド装置であることを検証することを更に含む、
請求項１のプロセスエレメントアライメント決定方法。
【請求項３】
前記フィールド装置の前記識別情報を取得することは、（１）前記フィールド装置の物理的タグまたは外部に添付されたラベルと、（２）前記フィールド装置のメモリに保存されたデータと、の少なくとも１つから前記フィールド装置に保存されたデータを取得することを含む、請求項１又は請求項２のプロセスエレメントアライメント決定方法。
【請求項４】
前記ローカルデバイスで前記他のプロセス装置に関する前記フィールド装置の前記相対的プロセス順序の前記指示を表示すること、及び
（ｉ）前記ローカルデバイスのユーザインターフェイスを介して前記相対的プロセス順序への修正を受信すること、及び（ｉｉ）前記ローカルデバイスの前記ユーザインターフェイスを介して前記相対的プロセス順序の承認の指示を受信することの少なくとも１つを行うこと、
を更に含み、
前記プロセスエレメントアライメントマップを生成する際に使用するために前記フィールド装置の前記相対的プロセス順序の前記指示を提供することは、前記相対的プロセス順序の前記承認の前記指示を受信により前記プロセスエレメントアライメントマップを生成する際に使用するために前記フィールド装置の前記相対的プロセス順序の前記指示を提供することを含む、
請求項１〜請求項３の何れか１項のプロセスエレメントアライメント決定方法。
【請求項５】
前記他のプロセス装置に関する前記フィールド装置の前記相対的プロセス順序の前記指示を取得することは、
前記ローカルデバイスに備えられた位置センサを介して前記フィールド装置の絶対位置を示すデータを取得すること、
前記ローカルデバイスに備えられたカメラインターフェイスを介して環境に設けられたフィールド装置の画像から取得すること、
前記ローカルデバイスに備えられたユーザインターフェイスを介して前記フィールド装置の前記相対的プロセス順序の前記指示を取得すること、
前記フィールド装置の前記識別情報及び前記他のプロセス装置の識別情報が前記ローカルデバイスで取得される順序に基づいて前記他のプロセス装置に関する前記フィールド装置の前記相対的プロセス順序の前記指示を取得すること、及び
前記フィールド装置が設けられている環境の画像または表示について前記フィールド装置の前記取得された識別情報の少なくとも幾つかの配置の指示に基づいて前記他のプロセス装置に関する前記フィールド装置の前記相対的プロセス順序の前記指示を取得すること、
の少なくとも１つを含む、請求項１〜請求項４の何れか１項のプロセスエレメントアライメント決定方法。
【請求項６】
前記フィールド装置の前記識別情報及び前記他のプロセス装置に関する前記フィールド装置の前記相対的プロセス順序の前記指示を取得することは、
複数のフィールド装置の各々についてそれぞれの識別情報を取得すること、及び
前記識別情報のそれぞれのユーザの選択に基づいて前記複数のフィールド装置の各々の前記相対的プロセス順序を取得すること、
を含む、請求項１〜請求項５の何れか１項のプロセスエレメントアライメント決定方法。
【請求項７】
他のプロセス装置に関する前記フィールド装置の前記相対的プロセス順序の前記指示を取得することは、環境に設けられた前記フィールド装置の画像を前記ローカルデバイスに含まれるカメラインターフェイスを介してから取得することを含み、
前記プロセスエレメントアライメント決定方法は、
前記環境に設けられた前記フィールド装置の前記画像に指示された前記他のプロセス装置の位置と、
前記環境に設けられた前記フィールド装置の前記画像及び重複環境で設けられた前記他のプロセス装置を含む他の画像との
少なくとも１つに基づいて、前記フィールド装置の前記相対的プロセス順序を決定することを更に含む、
請求項１〜請求項６の何れか1項のプロセスエレメントアライメント決定方法。
【請求項８】
前記プロセスエレメントアライメントマップを生成する際に使用するために前記識別情報及び前記フィールド装置の前記相対的プロセス順序の前記指示を提供することは、前記プロセスプラントにサービスを提供するビッグデータネットワークのノードに前記識別情報及び前記フィールド装置の前記相対的プロセス順序の前記指示を提供することを含む、請求項１〜請求項７の何れか１項のプロセスエレメントアライメント決定方法。
【請求項９】
プロセスにおけるプロセスエレメントアライメント装置であって、
プロセスプラントの前記プロセスの少なくとも一部を制御する複数のフィールド装置に含まれている各フィールド装置のそれぞれのデータを保存するメモリと、
前記各フィールド装置のそれぞれのデータは前記各フィールド装置のそれぞれの識別情報と前記プロセスのフロー内で少なくとも１つの他のフィールド装置に関する前記各フィールド装置のそれぞれの相対的プロセス順序のそれぞれの指示を含んでおり、前記複数のフィールド装置の保存されたそれぞれのデータに基づき前記プロセスのフロー内で前記複数のフィールド装置の順序の表現を生成するように構成されたアライメント発生器と、
前記生成された表現は前記プロセスのプロセスエレメントアライメントマップの少なくとも一部であり、プロセスエレメントマップの少なくとも前記一部が提示されるディスプレイと、
を含む、プロセスエレメントアライメント装置。
【請求項１０】
前記プロセスエレメントアライメント装置は、無線性能検証装置に含まれ、
前記無線性能検証装置は、前記各フィールド装置の性能検証の期間に前記各フィールド装置の前記それぞれの識別情報に基づき前記各フィールド装置が予定されたフィールド装置であることを検証する構成にされた装置検証器を更に含み、
前記各フィールド装置の前記それぞれの前記相対的プロセス順序の前記それぞれの指示は前記各フィールド装置の前記性能検証に関連して前記無線性能検証装置により取得される、
請求項９のプロセスエレメントアライメント装置。
【請求項１１】
前記ディスプレイは前記複数のフィールド装置のそれぞれのデータの指示を表示するために更に構成され、
前記アライメント発生器は、
ユーザが選択する前記複数のフィールド装置の前記それぞれのデータの前記表示の少なくとも一部に基づいている前記プロセスエレメントアライメントマップの少なくとも前記一部の少なくとも第１の部分を生成すること、
リアルタイムのユーザの入力を用いずに、前記複数のフィールド装置の前記保存された前記相対的プロセス順序に基づいて、前記プロセスエレメントマップの少なくとも一部の少なくとも第２の部分を生成すること、及び  
前記プロセスエレメントアライメント装置のユーザインターフェイスで受信された前記プロセスエレメントマップの少なくとも一部に対する修正の指示に基づいて前記プロセスエレメントマップの少なくとも一部を修正すること、
の少なくとも１つを行うように、構成された請求項９又は請求項１０のプロセスエレメントアライメント装置。
【請求項１２】
ユーザインターフェイス、カメラインターフェイス、少なくとも１つの通信インターフェイスまたは前記各フィールド装置の前記それぞれのデータの少なくとも幾つかがこれを介して取得される位置センサの少なくとも１つを更に含む、請求項９〜請求項１１の何れか１項の１２のプロセスエレメントアライメント装置。
【請求項１３】
前記各フィールド装置の前記それぞれの識別情報が、前記各フィールド装置に添付のタグまたは前記各フィールド装置に含まれているメモリの少なくとも１つに保存されたデータを含む、請求項９〜請求項１２の何れか１項のプロセスエレメントアライメント装置。
【請求項１４】
前記各フィールド装置の前記相対的プロセス順序の前記それぞれの指示が、画像、前記各フィールド装置の絶対位置の表示、または前記各フィールド装置の上流あるいは下流であるプロセスエレメントの表示の少なくとも１つに基づいて決定される請求項９〜請求項１３の何れか１項のプロセスエレメントアライメント装置。
【請求項１５】
通信インターフェイスを更に備え、前記通信インターフェイスを介して前記プロセスエレメントアライメントマップの前記少なくとも前記一部が、前記プロセスプラントをサポートするプロセス制御ビッグデータネットワークのノードに送信される請求項９〜請求項１４の何れか１項のプロセスエレメントアライメント装置。
【請求項１６】
前記メモリは第１メモリであり、
前記プロセスエレメントアライメント装置は前記第１メモリまたは第２メモリに保存された解析ルーティンを更に含み、
前記解析ルーティンは学習された知識を生成するために、前記プロセスエレメントアライメントマップの前記少なくとも前記一部について対処をする、
請求項９〜請求項１５の何れか１項のプロセスエレメントアライメント装置。
【請求項１７】
プロセスにおけるプロセスエレメントアライメント決定方法であって、プロセスプラントに設置されたフィールド装置と通信するために使用されるローカルデバイスから前記プロセスプラント内の前記プロセスのフローにおける複数のフィールド装置のそれぞれの識別情報とそれぞれの相対的プロセス順序に関する指示を取得すること、
前記複数のフィールド装置の前記取得されたそれぞれの識別情報と前記それぞれの前記相対的プロセス順序の前記取得された指示に基づいて、前記プロセスのフロー内の前記複数のフィールド装置の順序の指示を含むプロセスエレメントアライメントマップの少なくとも一部を生成すること、及び
前記プロセスエレメントアライメントマップの少なくとも前記一部の図形的表現をディスプレイに表示することを含み、
前記図形的表現は前記複数のフィールド装置を介するプロセスフローを表示している、
プロセスエレメントアライメント決定方法。
【請求項１８】
前記図形的表現に表示された特定のフィールド装置の選定の指示を受信すること、及び
前記選定の前記指示に応答して、前記特定のフィールド装置の性能検証に関連して前記ローカルデバイスによって取得された前記特定のフィールド装置の少なくとも幾つかの前記それぞれの識別情報を前記ディスプレイに提示すること、
を更に含む、請求項１７のプロセスエレメントアライメント決定方法。
【請求項１９】
特定のフィールド装置が前記プロセスを制御するよう動作する間に、前記特定のフィールド装置で生成されたリアルタイム値を前記特定のフィールド装置の前記少なくとも幾つかの前記それぞれの識別情報に関連する前記ディスプレイに提示することから更に構成された請求項１７又は請求項１８のプロセスエレメントアライメント決定方法。
【請求項２０】
前記プロセスエレメントアライメントマップの少なくとも前記一部の非図形的表現をディスプレイに提示すること、及び
前記図形的表現の検分と前記非図形的表現の検分の切り替えをユーザに許可すること、
を更に含み、
前記非図形的表現は前記プロセスフローのそれぞれの指示を含む、
請求項１７〜請求項１９の何れか１項のプロセスエレメントアライメント決定方法。
【請求項２１】
前記図形的表現または前記非図形的表現の１つへの修正を、ユーザインターフェイスを介して受信すること、前記修正のある前記図形的表現または前記非図形的表現の他の１つを自動的に更新することを更に含む、請求項２０のプロセスエレメントアライメント決定方法。
【請求項２２】
前記それぞれの表示情報及び前記複数のフィールド装置の前記相対的プロセス順序に関する指示を取得することは、前記プロセスプラントに設置された前記複数のフィールド装置の複数の画像を取得することを含み、前記複数の画像は前記複数のフィールド装置の性能検証期間に前記ローカルデバイスによって取得されたものであり、
前記プロセスエレメントアライメント決定方法は、前記プロセスエレメントアライメントマップの前記少なくとも前記一部の前記図形的表現に関連して前記複数のフィールド装置の複数の画像の少なくとも幾つかを前記ディスプレイに提示することを更に含む、
請求項１７〜請求項２１の何れか１項のプロセスエレメントアライメント決定方法。
【請求項２３】
前記複数の画像の少なくとも幾つかを組み合わせてパノラマ画像にすることを更に含み、
前記プロセスエレメントアライメントマップの前記少なくとも前記一部の前記図形的表現を提示することは、前記パノラマ画像の少なくとも一部を提示することを含む、請求項２２のプロセスエレメントアライメント決定方法。
【請求項２４】
（ｉ）前記図形的表現の第１部分を拡大撮影する指示を受信し、前記第１部分を拡大撮影する前記指示を受信したことに応答して、前記第１部分の拡大表現を前記ディスプレイに提示すること、前記拡大表現は前記第１部分に表示された１つまたは複数のフィールド装置に対応する付加情報を含んでおり、または
（ｉｉ）前記図形的表現を縮小撮影する指示を受信し、縮小撮影する前記指示を受信したことに応答して、前記ディスプレイに表示される前記図形的表現の寸法を縮小すること及び縮小寸法図形的表現から少なくとも前記１つまたは複数のフィールド装置に対応する少なくとも幾つかの以前に表示された情報を除外することの１つを更に含む、請求項１７〜請求項２３の何れか１項のプロセスエレメントアライメント決定方法。
【請求項２５】
前記プロセスエレメントアライメントマップの少なくとも一部の前記図形的表現を前記ディスプレイに提示することは、前記プロセスエレメントアライメントマップの前記少なくとも前記一部の前記図形的表現を前記ローカルデバイスのディスプレイに提示する請求項１７〜請求項２４の何れか１項のプロセスエレメントアライメント決定方法。